(57)【要約】【課題】  ゲートを通過する人物に応じて異なる種類の機密文書の持ち出しを管理するゲート装置を提供する。【解決手段】  検知ゲート１００は、通過者属性読取装置１０１が通過者３０の通過者属性を通過者３０のＩＤカード１０から読み取り、機密文書検知装置１０２が通過者３０が所持している機密文書２０を検知し、文書属性読取装置１０３が機密文書２０に印刷されたバーコード２２より機密文書２０の文書属性を読み取り、そして、判定装置１０４が判定テーブル１０６に基づいて通過者属性読取装置１０１で読み取られた通過者属性と文書属性読取装置１０３で読み取られた文書属性との組み合わせから通過者３０は機密文書２０を所持して検知ゲート１００を通過してよいか否かの判断を行う。【選択図】  図１
2008065449.tif 000002
【特許請求の範囲】
【請求項１】
ゲートを通過する通過者の通過者属性を認識する通過者属性認識手段と、
前記通過者が所持する文書の文書属性を該文書から読み取る文書属性読取手段と、
前記ゲート内に交流磁界を発生する交流磁界発生手段と、
前記交流磁界発生手段から発生された交流磁界により前記文書に付与された磁性体の磁化反転に基づき発生される信号に基づき該文書の存在を検知する検知手段と、
前記検知手段による検知出力に基づき前記通過者属性認識手段により認識した前記通過者属性と前記文書属性読取手段で読み取った前記文書属性との組み合わせから前記文書を所持した通過者が前記ゲートを通過してよいかを判定する判定手段と
を具備するゲート装置。
【請求項２】
前記通過者属性認識手段は、
前記通過者が携帯する識別情報カードから無線で前記通過者属性を読み取る無線読取手段と、
前記無線読取手段による読取出力に基づき前記通過者属性を認識する認識手段と
を具備する請求項１記載のゲート装置。
【請求項３】
前記文書属性読取手段は、
前記文書に付与されたコード情報から前記文書属性を光学的に読み取る光学的読取手段
を具備する請求項１記載のゲート装置。
【請求項４】
前記文書に付与された磁性体は、
前記交流磁界の印加に基づき大バルクハウゼン効果により前記信号を発生し、
前記検知手段は、
前記信号の有無により前記文書の存在を検知する請求項１記載のゲート装置。
【請求項５】
前記判定手段により前記通過者が通過できないと判定された場合は警報を発生する警報発生手段
を更に具備する請求項１記載のゲート装置。
【発明の詳細な説明】
【技術分野】
【０００１】
本発明は、ゲート装置に関する。
【背景技術】
【０００２】
近年、オフィスにおいて機密文書の管理が求められ、機密文書を扱う部屋の出入り口に機密文書を検知することができるゲート装置を設置する技術が知られている。
【０００３】
この技術は、磁性体の大バルクハウゼン効果を利用して、磁性体が付与された用紙に機密情報を印刷するようにして機密文書を作成し、機密文書が部屋から持ち出しされようとすると、部屋の出入り口に設けられているゲート装置より交番磁界が印加されることによって機密文書に付与された磁性体が大バルクハウゼン効果によって急峻な磁気パルスを発し、その磁気パルスをゲート装置に設けられた検知コイルが検知することによって機密文書がゲート装置で検知される。
【０００４】
また、特許文献１には、入退室可能なエリアを特定するＩＤ情報または入退室可能な物まはた人を特定するＩＤ情報を子側のＩＣ(Integrated Circuit)カードと親側の外部親装置との間で送受信することで、特定エリアへの出入りによるサービス提供システムが提案されている。
【０００５】
また、特許文献２は、通行人の移動方向を識別するセンサと、人員タグを検知して通行人を特定し物品タグを検知して通行人の所持する物品を特定するセンサとが設置されて、部外者の無断入室や物品の無断持ち出しを認識し警報を発するセキュリティ管理システムが提案されている。
【特許文献１】特開平５−２６３５５８号公報
【特許文献２】特開２００４−２１３１０号公報
【発明の開示】
【発明が解決しようとする課題】
【０００６】
しかし、機密文書の管理を目的としたゲート装置の場合には、紙文書一枚一枚に電子タグを付与して管理しようとすると、付与する電子タグがＲＦＩＤ(Radio Frequency IDentfication)タグで束ねられた文書ではタグ間隔が接近してしまう。
【０００７】
そして、ＲＦＩＤタグは、このようにタグ間隔が１ｍｍ以下で近接した複数タグから情報を読み取るのは、アンチコリジョン技術を用いても非常に困難であり、複数毎の紙文書が重ねられる状況が想定できる文書管理には適さない。
【０００８】
また、紙文書一枚一枚から情報を読み取るのに時間がかかり、ゲート装置を通過するための待ち時間が必要になるため、実用的でない。
【０００９】
そこで、この発明は、磁性ワイヤが付与された紙文書についてのセキュリティ管理システムを想定し、ゲートを通過する人物に応じて異なる種類の機密文書の持ち出しを管理するゲート装置を提供することを目的とする。
【課題を解決するための手段】
【００１０】
上記目的を達成する為、請求項１の発明は、ゲート装置を、ゲートを通過する通過者の通過者属性を認識する通過者属性認識手段と、前記通過者が所持する文書の文書属性を該文書から読み取る文書属性読取手段と、前記ゲート内に交流磁界を発生する交流磁界発生手段と、前記交流磁界発生手段から発生された交流磁界により前記文書に付与された磁性体の磁化反転に基づき発生される信号に基づき該文書の存在を検知する検知手段と、前記検知手段による検知出力に基づき前記通過者属性認識手段により認識した前記通過者属性と前記文書属性読取手段で読み取った前記文書属性との組み合わせから前記文書を所持した通過者が前記ゲートを通過してよいかを判定する判定手段とを具備するように構成する。
【００１１】
また、請求項２の発明は、請求項１の発明において、前記通過者属性認識手段は、前記通過者が携帯する識別情報カードから無線で前記通過者属性を読み取る無線読取手段と、前記無線読取手段による読取出力に基づき前記通過者属性を認識する認識手段とを具備する。
【００１２】
また、請求項３の発明は、請求項１の発明において、前記文書属性読取手段は、前記文書に付与されたコード情報から前記文書属性を光学的に読み取る光学的読取手段を具備する。
【００１３】
また、請求項４の発明は、請求項１の発明において、前記文書に付与された磁性体は、前記交流磁界の印加に基づき大バルクハウゼン効果により前記信号を発生し、前記検知手段は、前記信号の有無により前記文書の存在を検知する。
【００１４】
また、請求項５の発明は、請求項１の発明において、前記判定手段により前記通過者が通過できないと判定された場合は警報を発生する警報発生手段を更に具備する。
【発明の効果】
【００１５】
請求項１の発明によれば、通過者が所持してゲート装置を通過する機密文書の種類を通過者属性毎に設定して管理することができる。
【００１６】
また、請求項２の発明によれば、通過者の通過者属性を遠隔から読み取ることができる。
【００１７】
また、請求項３の発明によれば、機密文書の文書属性の情報を瞬時に読み取ることができる。
【００１８】
また、請求項４の発明によれば、機密文書の存在を遠隔から読み取ることができる。
【００１９】
また、請求項５の発明によれば、ゲート装置の通過者に、所持している機密文書を所持したままではゲート装置を通過してはいけないことを報知することができる。
【００２０】
各ゲートがローカルに通過者属性および文書属性を読取り、通過判断を行うため、迅速な管理が可能となる。
【００２１】
ネットワークを通じて、データベース・サーバーに通過判断を求めると、存在するゲート数が増えるにしたがい、判断に時間を要し、実用性が低下するからである。
【００２２】
また、緊急時にサーバー・ダウンすると、判断不能になる危険も伴うからである。
【発明を実施するための最良の形態】
【００２３】
以下、本発明に係わるゲート装置の実施例について添付図面を参照して詳細に説明する。
【００２４】
図１は、本発明に係わるゲート装置である検知ゲート１００の概略を示す構成図である。
【００２５】
検知ゲート１００は、通過者属性読取装置１０１、機密文書検知装置１０２、文書属性読取装置１０３、判定装置１０４、警報装置１０５を備えている。
【００２６】
通過者属性読取装置１０１は、電磁波を媒介としてＩＤカード１０に付与されたＲＦＩＤタグに給電を行い、また、該ＲＦＩＤタグより発せられる信号を受信してＩＤカード１０に記録された通過者属性の情報を受信する。
【００２７】
また、通過者属性読取装置１０１は、図１に示すように、通過者３０が検知ゲート１００に進入する側と出て行く側の両方に設置されて、どちらから出入りが行われても検知ゲート１００が機能するように構成される（参照番号５０）。
【００２８】
ＩＤカード１０には、通過者３０がどの程度の機密性の高い機密書類を持ち出し可能なのかを示す通過者属性が記録され、そして、検知ゲート１００を通過しようとするすべての通過者３０がそれぞれ異なる情報が記録されたＩＤカード１０を所持する。
【００２９】
通過者属性は、検知ゲート１００を通過する可能性のある全ての人に付与されて、それぞれの人にＡ、Ｂ、Ｃのいずれかの通過者属性が付与される。
【００３０】
機密文書検知装置１０２は、励磁コイル、検知コイル等で構成され、機密文書２０に付与される磁性ワイヤ２１の検知を大バルクハウゼン効果を利用して行う。
【００３１】
文書属性読取装置１０３は、光学的読取装置で構成され、機密文書２０に印刷されたバーコード２２、２次元コード、地紋より文書属性を読み取る。
【００３２】
本実施例では、機密文書２０にバーコード２２が印刷されることによって文書属性が記録されるものとするが、機密文書２０に２次元コード、地紋などで文書属性が記録されるように構成してもよい。
【００３３】
文書属性は、機密文書２０の重要度を示す情報であり、機密文書２０の文書内容が印刷されるときに、通常のインク若しくはトナー、または蛍光インクや赤外線吸収材料などの肉眼で判別困難な特殊材料でできたインク若しくはトナーによってバーコード２２、２次元コード、地紋などが機密文書２０に印刷されることで記録される。
【００３４】
前記特殊材料を用いた場合、文書属性の書き換えやすり替えを困難にする。
【００３５】
判定装置１０４は、通過者属性読取装置１０１、機密文書検知装置１０２、文書属性読取装置１０３より入手した情報を元に、通過者３０が機密文書２０を所持したまま通過していいのかどうかの判定を行う。
【００３６】
また、判定装置１０４はメモリを備えて、通過者属性読取装置１０１から読み取った通過者属性と文書属性読取装置１０３から読み取った文書属性とから通過を禁止するか否かの判断を行う基準となる判断テーブル１０６をメモリ内に備える。
【００３７】
警報装置１０５は、判定装置１０４と接続されてアナウンスを流すことができるスピーカを備え、通過者３０が機密文書２０を所持したまま通過してはいけないと判定装置４０に判断された場合に、通過者３０に対して通過してはいけない旨のアナウンスを行う。
【００３８】
警報の方法は、上記のように音声による方式に限らず、通過できない旨を文字、記号等で表示する表示素子を用いた視覚による警告もある。
【００３９】
オフィス内では、音声により作業効率の低下を招く虞がある場合もあるからである。
【００４０】
また、機密文書２０には、機密文書であることを示す磁性ワイヤ２１が付与されている。
【００４１】
磁性ワイヤ２１は、Ｆｅ−Ｃｏ系アモルファス材の大バルクハウゼン効果を有する強磁性体であって、機密文書２０には漉き込まれる形で付与される。
【００４２】
機密文書２０の生成は、磁性ワイヤ２１が付与された用紙に文書内容と文書属性が印刷されることで行われる。
【００４３】
そして、機密文書２０には、文書属性を記録するために、バーコード２２、２次元コード、地紋などが表面に印刷される。
【００４４】
文書属性は、バーコード２２などが文書表面に印刷される換わりに、ＲＦＩＤタグを文書に付与してＲＦＩＤタグに文書属性を記憶させるようにしてもよい。
【００４５】
機密文書２０が大量に（例えば５枚以上）生成される場合は、表紙に文書属性が印刷される。
【００４６】
機密文書２０への文書属性の記録にＲＦＩＤタグが使用される場合には、大量の機密文書２０の表紙に付与されたＲＦＩＤタグに文書属性が付与されてもよいし、また、大量の機密文書２０が１つのフォルダに閉じられて、そのフォルダに付与されたＲＦＩＤに文書属性を付与するようにしてもよい。
【００４７】
そして、文書属性の記録にＲＦＩＤタグが使用される場合には、文書属性読取装置１０３はＲＦＩＤタグの情報を読み取る装置が使用される。
【００４８】
このように構成される機密文書２０を所持した通過者３０は、検知ゲート１００に進入すると、通過者３０が持っているＩＤカード１０が通過者属性読取装置１０１によって読み取られる。
【００４９】
そして、通過者３０が所持している文書が機密文書２０である場合には、機密文書２０に付与された磁性ワイヤ２１が機密文書検知装置１０２に検知されて通過者３０が機密文書２０を所持していることが検知される。
【００５０】
すると、警報装置１０５より、「所持している文書の文書属性を文書属性読取装置に読み取らせてください」とのアナウンスが流される。
【００５１】
通過者３０は、所持している機密文書２０の文書属性が記録されたバーコード２２を文書属性読取装置１０３に読み取らせ、判定装置１０４の判定を待つ。
【００５２】
判定装置１０４は、通過者属性読取装置１０１から得た通過者３０の通過者属性と通過者３０が読み取らせて文書属性読取装置１０３から得た機密文書２０の文書属性とを判定装置１０４が有する判定テーブル１０６に適用して、通過許可或いは通過禁止の判断を行う。
【００５３】
通過が禁止される判定が判定装置１０４で行われると、警報装置１０５より「その文書を所持したままではこのゲートを通過できません」とのアナウンスが流される。
【００５４】
本発明のゲート装置に係わる検知ゲート１００では、検知ゲート１００を通過する通過者３０の通過者属性によって所持したまま検知ゲート１００を通過することができる機密文書２０のランクが決められており、判定テーブル１０６に記される。
【００５５】
そして、通過者３０の通過者属性に応じた機密文書２０の持ち出し管理が検知ゲート１００によって行われる。
【００５６】
次に、判定テーブル１０６に記された内容について図２を参照して説明を行う。
【００５７】
図２は、判定テーブル１０６に記された内容について示した図であり、図２（ａ）は、判定テーブル１０６の内容を示した表であり、図２（ｂ）は図２（ａ）に示した判定テーブルの内容を示す模式図である。
【００５８】
図２（ａ）に示すように、判定テーブルには、通過者属性、文書属性、通過許可の内容が記されており、通過者属性はＡ、Ｂ、Ｃと３つあり、文書属性はその機密性の高さに応じてα、βの２つがあり、通過許可は許可（○）、禁止（×）がある。
【００５９】
例えば、通過者属性がＡの人物は、全ての機密文書（文書属性α、βの文書）についてそれらの文書を所持した通過が許可され、また、通過者属性がＢの人物は、文書属性αの文書を所持した通過が禁止され、文書属性βの文書を所持した通過が許可され、また、通過者属性Ｃの人物は、全ての機密文書（文書属性α、βの文書）についてそれらの文書を所持した通過が禁止される。
【００６０】
このように、判定テーブル１０６には、通過者属性に応じて、所持した通過が禁止される文書の文書属性と許可される文書の文書属性とが記される。
【００６１】
また、図２（ｂ）に示すように、二つの部屋の境に検知ゲート１００が設置されていて、検知ゲート１００の判定テーブル１０６に図２（ａ）に示す内容が設定されていた場合には、通過者属性Ａの人物は文書属性α、βの文書を所持した検知ゲート１００の通過が許可され、通過者属性Ｂの人物は文書属性βの文書を所持した検知ゲート１００の通過だけ許可され、通過者属性Ｃの人物はいずれの文書属性であっても機密文書を所持した検知ゲート１００の通過が禁止されるように検知ゲート１００で管理が行われる。
【００６２】
次に、検知ゲート１００において行われる処理について、図３を参照して説明を行う。
【００６３】
図３は、検知ゲート１００において行われる処理フローについて示したフローチャートである。
【００６４】
検知ゲート１００において、通過者属性読取装置１０１によって通過者３０が持っているＩＤカード１０から通過者属性が読み取られ（ステップ３０１）、機密文書検知装置１０２によって磁性ワイヤ２１の検知が行われると（ステップ３０２）、判定装置１０４によって通過を禁止する信号を出すか出さないかの判定が行われる。
【００６５】
判定装置１０４による判定は、図２に示すような判定テーブル１０６の内容に従って行われる。
【００６６】
ここで、図２を参照して説明した判定テーブル１０６によると、通過者属性がＡである人物に対しては（ステップ３０１で通過者属性が判明）、機密文書を所持していることが示される磁性ワイヤ２１の検知が行われても（ステップ３０２）、全ての機密文書について通過が許可されるので判定装置１０４は通過を許可して、通過を禁止する信号を警報装置１０５に送ることはしない（ステップ３０３でＡ）。
【００６７】
また、通過者属性がＣである人物に対しては（ステップ３０１で通過者属性が判明）、判定テーブル１０６によると全ての機密文書についてそれを所持した通過が禁止されるので、磁性ワイヤ２１の検知が行われた時点で、判定装置１０４は、通過者３０の通過を禁止する信号を警報装置１０５に送り、「その文書を所持したまま通過はできません」とのアナウンスが警報装置１０５より流され、通過が禁止される（ステップ３０３でＣ、ステップ３０４）。
【００６８】
また、通過者属性がＢである人物に対しては（ステップ３０１で通過者属性が判明）、警報装置１０５より「所持している文書の文書属性を文書属性読取装置に読み取らせてください」とのアナウンスが流され（ステップ３０５）、通過者３０が所持した機密文書２０の文書属性を文書属性読取装置１０３に読み取らせる。
【００６９】
文書属性読取装置１０３に文書属性が読み取られると（ステップ３０６）、判定装置１０４は、読み取った文書属性に基づいて、通過者３０（この場合は通過者属性Ｂ）が所持している機密文書２０の文書属性がαかβかを確認し、機密文書２０の文書属性がαであるならば（ステップ３０７でＹＥＳ）通過者属性Ｂの人物は機密性の高い文書属性αの文書は持ち出せないので、通過者３０の通過を禁止する信号を警報装置１０５に送り、また、機密文書２０の文書属性がβであるならば（ステップ３０７でＮＯ）持ち出しを許可して通過を禁止する信号は送らない。
【００７０】
ステップ３０７でＹＥＳとなって、通過を禁止する信号が警報装置１０５に送られると、警報装置１０５より「その文書を所持したままではこのゲートは通過できません」とのアナウンスが流され（ステップ３０８）、文書属性αの機密文書２０を所持した通過者（通過者属性はＢ）の通過が禁止される。
【００７１】
ここで、上記のプロセスが保証されるためには、通過者がもっている全ての文書の属性が文書属性読取装置１０３によって読み取られることが必要になる。
【００７２】
例えば、通過者属性Ｂの人物が文書属性αの文書およびβの文書をもっていた場合、βの文書のみを読ませて通過する行為が想定されるからである。
【００７３】
以下に、通過者がもっている全ての文書の属性が文書属性読取装置１０３によって読み取られる方法の一例を説明する。
【００７４】
文書属性がＲＦＩＤタグに記憶されている場合には、通信距離の長いＲＦＩＤタグを利用して、ゲートの外部から全部を読み取ることも可能である。
【００７５】
ここでは、ゲート検知領域内に設置された文書属性読取装置１０３で属性を読み取らせる場合を考える。
【００７６】
通過者が、所持する文書を全て文書属性読取装置１０３に投入した後もなお、磁性ワイヤの検知が続く場合には、機密文書を隠し持っていると判断し、「全ての文書を読取り装置に置いてください」というメッセージが出される。
【００７７】
通過者が、所持する文書を全て文書属性読取装置１０３に投入した後磁性ワイヤの検知が消えれば、全ての文書が投入されたと判断し、読取りが開始する。
【００７８】
文書属性読取装置１０３に投入した機密文書内の磁性ワイヤからの信号が検知されないような仕組みは、当業者であれば様々考え付く。
【００７９】
例えば、文書の投入が検知されたら、文書属性読取装置１０３が付設されている側のゲートの磁界を十分弱くし、反対側のゲートで隠し持っている文書を検知する方法がある。
【００８０】
あるいは、投入された文書を付設されている側のゲートの磁界が届かない領域に一時的に移動する方法、あるいは、一時的に投入された文書内の磁性ワイヤからの信号が出ないような領域に移動する方法により、文書属性読取装置１０３が付設されている側のゲートおよび反対側のゲートにより通過者が隠し持っている文書を検知することができる。
【００８１】
なお、検知ゲート１００において、磁性ワイヤ２１の検知が行われなかった場合には、通過者３０は機密文書を持っていないと判断されて通過が許可され、判定装置１０６から通過を禁止する信号は送られない。
【００８２】
次に、複数の部屋の間においてそれぞれの部屋の出入り口に検知ゲート１００を設置して、機密文書２０の部屋間におけるセキュリティ管理について図４を参照して説明を行う。
【００８３】
図４は、機密文書２０の部屋間におけるセキュリティ管理について示した模式図である。
【００８４】
図４に示すように、部屋ａ−４０１、部屋ｂ−４０２、部屋ｃ−４０３の３つの部屋が存在し、部屋ａ−４０１と部屋ｂ−４０２との間には検知ゲート１００−１が設置され、部屋ｂ−４０２と部屋ｃ−４０３との間には検知ゲート１００−２が設置され、部屋ａ−４０１と外部との間、並びに部屋ｃ−４０３と外部との間には検知ゲート１００−３が設置される。
【００８５】
検知ゲート１００−１、１００−２、１００−３はいずれも、検知ゲート１００と同じ構成を有して同じ機能を有するが、判定テーブル１０６に設定される内容がそれぞれ異なる。
【００８６】
このように、複数の部屋の各出入り口に設置される検知ゲート１００の判定テーブル１０６に設定される内容を異ならせることで、部屋間で機密文書を所持して移動できる機密文書の属性を同じ人物でも異ならせることができる。
【００８７】
例えば、図４に示すように、部屋ａ−４０１から外部にはいずれの通過者属性を有する人物も機密文書２０を所持して検知ゲート１００−３を通過することはできない。
【００８８】
また、図４に示すように、部屋ａ−４０１から部屋ｂ−４０２には、通過者属性Ａを有する人物は文書属性がα、βである機密文書２０を所持して検知ゲート１００−１を通過することができるが、通過者属性Ｂを有する人物は文書属性がαである機密文書２０を所持して検知ゲート１００−１を通過することは禁止され文書属性がβである機密文書２０所持して検知ゲート１００−１を通過することができ、さらに、通過者属性Ｃを有する人物は文書属性にかかわらず機密文書２０を所持した検知ゲート１００−１の通過は禁止される。
【００８９】
また、図４に示すように、部屋ｂ−４０２から部屋ｃ−４０３には、通過者属性Ａを有する人物は文書属性がα、βである機密文書２０を所持して検知ゲート１００−２を通過することができるが、通過者属性Ｂと通過者属性Ｃとを有する人物は文書属性にかかわらず機密文書２０を所持した検知ゲート１００−２の通過は禁止される。
【００９０】
また、図４に示すように、部屋ｃ−４０３から外部にはいずれの通過者属性を有する人物も機密文書２０を所持して検知ゲート１００−３を通過することはできない。
【００９１】
このように、判定テーブル１０６の内容を様々に設定することでより、通過者（ヒト）毎に異なる空間でセキュリティ文書の使用を可能にし、柔軟なセキュリティ文書管理が行われる。
【００９２】
また、外部との境界に位置する検知ゲート１００−３を除くゲートの通行を自由にし、各ゲートでの通過ログを追う事によって、機密文書の各部屋間の移動を通過者の属性と対応させて、追跡することもできる。
【００９３】
なお、人の通行を妨げる開閉式の通行ゲートを検知ゲート１００に設定して、判定装置１０４で通過が禁止されると判断された場合に、警報装置１０５で報知を行うと共に該通行ゲートを閉じて通過者３０の通過を禁止するように構成されてもよい。
【産業上の利用可能性】
【００９４】
この発明は、被検知物体を検知するゲート装置において利用可能である。
【００９５】
この発明によれば、ゲート装置を通過する通過者の種類に応じて異なる種類の機密文書を所持した通行管理が行われる。
【図面の簡単な説明】
【００９６】
【図１】検知ゲート１００の概略を示す構成図。
【図２】判定テーブル１０６に記された内容について示す図。
【図３】検知ゲート１００で行われる処理フローについて示したフローチャート。
【図４】機密文書２０の部屋間におけるセキュリティ管理について示した模式図。
【符号の説明】
【００９７】
１０    ＩＣカード
２０    機密文書
２１    磁性ワイヤ
２２    バーコード
３０    通過者
１００、１００−１、１００−２、１００−３    検知ゲート
１０１    通過者属性読取装置
１０２    機密文書検知装置
１０３    文書属性読取装置
１０４    判定装置
１０５    警報装置
１０６    判定テーブル
４０１、４０２、４０３    部屋ａ、部屋ｂ、部屋ｃ
【図１】
2008065449.tif 000003
【図２】
2008065449.tif 000004
【図３】
2008065449.tif 000005
【図４】
2008065449.tif 000006